(57)【要約】      （修正有）【課題】動物の四肢及び体幹への包帯やギブス等の固定用品による患部処置の保護・固定を一体化して、患部全体を覆い保護するとともに、保護カバーのずれを抑制し、患部処置の脱落を防止できる動物用患部保護脱落防止カバーを提供する。【解決手段】動物の左前脚Ｃに処置した患部を覆う脚部保護用の筒状覆い部１と、筒状覆い部１から一体に延長して動物の体幹Ｂを周回できるテープ状の体幹保護用の体幹覆い部２とを、布等の柔軟性のある同一の素材から一体に形成し、体幹覆い部２に、右前脚Ｄが挿通できる挿通孔３を設けるととともに、幹覆い部２と筒状覆い部１に、互いに着脱自在に係合する係合部材４，５をそれぞれ設けた。【選択図】図３
2008043369.tif 000002
【特許請求の範囲】
【請求項１】
動物の四肢うちいずれか一つの脚に処置したギブスあるいは包帯等の固定用品を覆うことのできる大きさを有する脚部保護用の筒状覆い部と、該筒状覆い部の開口端から一体に延長して前記動物の体幹を周回できる長さを有し、かつ、前記筒状覆い部の径より大きい幅を有するテープ状の体幹保護用の体幹覆い部とを、布等の柔軟性のある同一の素材から一体に形成し、前記体幹覆い部には、前記一つの脚と左右反対側の脚が挿通できる挿通孔を設けるととともに、前記体幹覆い部の端部側と前記筒状覆い部の外面に、互いに着脱自在に係合する係合部材をそれぞれ設けたことを特徴とする動物用患部保護脱落防止カバー。
【発明の詳細な説明】
【技術分野】
【０００１】
本発明は、犬や猫当の動物の四肢及び体幹への包帯やギブス等の固定用品による患部処置を保護するとともに前記患部処置の脱落を防止する動物用患部保護脱落防止カバーに関する。
【背景技術】
【０００２】
従来、犬や猫等のペットが皮膚病にかかったとき、ペットが患部を舐めたり、患部に処理した塗り薬を舐めたりするのを防止するものとして、後掲する引用文献１に記載されたペット用皮膚カバーバンドが提案されている。また、ペットの外科手術や避妊手術等の治療後の傷口を保護するものとして、後掲する特許文献２に示すようなペット用保護胴着が知られている。
【０００３】
前述した特許文献１に記載のペット用皮膚カバーバンドは、図9に示すように伸縮性、通気性の良い網目状の布で、H形状の本体２１の足部２５に輪状の足帯２２を設け、本体２１の胴体部２６に腹帯２３を設け、腹帯２３と本体２１にそれぞれ止め具２４を設けたもので、本体２１の足部２５が輪状になっているため、ペットの足から着用できるとともに、腹帯２３と本体２１にそれぞれ止め具２４がついているので、お腹を包んでとめることができるというものである。
【０００４】
前述した特許文献２に記載のペット用保護胴着は、図１０に示すように、伸縮性を持った部材からなる本体と、該本体に、動物の首に対応して開いた伸縮性を持つ３１部分と、前脚に対応して肩甲骨と上腕骨の動きを妨げない開き３２，３２と、後ろ脚に対応して大腿骨の動きに対して適応する開き３３，３３と、臀部に対応して臀部との繋がりが着脱や排泄が容易にできる臀部の開放部３４を形成したもので、開放部３４の開きから３１部分に向かってペットの頭を入れ、続けて３２，３２に前脚を出し、３３，３３に後ろ足を出して着用するようになっている。また、前脚、後ろ足、四肢のカバーが可能にすることができる。さらに、前脚、後ろ足、四肢の脚先口に３１部分と同素材を用いることもできるようになっている。
【０００５】
前述した四肢用保護カバーに関する先行技術文献として、次の特許文献１〜２等がある。
【特許文献１】特開平１１−７１号公報
【特許文献２】特開２０００−２０４０１５号公報
【発明の開示】
【発明が解決しようとする課題】
【０００６】
前述した特許文献１のようなペット用皮膚カバーバンドは、ペットが患部を舐めたり、患部に処理した塗り薬を舐めたりするのを防止するものであり、ペットの四肢や体幹への包帯やギブス等の患部処置を保護するようになっていないし、また、本体２１は、網目状の布から作られており、ペットが屋外等で歩行するとき、患部が汚れるおそれがある。また、図９に示すように、このペット用皮膚カバーバンドの本体２１は、胴体部２６と、全ての四肢を覆うため、４つの足部２５を備えており、製作が容易でないし、全ての四肢を輪状の足体２２に通す必要があり、装着が容易でないという問題もある。さらに、四肢を覆う足部２５は、その端部に輪状の足帯２２を備えているが、足部２５全体が筒状に作られていないので、四肢の周囲全体を覆うことができないという問題もある。
【０００７】
前述した特許文献２のようなペット用保護胴着は、ペットの骨格に即してフィットするように作られており、ペットの四肢や体幹への包帯やギブス等の患部処置を保護するようになっていない。また、この保護胴着は、図１０に示すように、ペットの首部、四肢部、臀部に対応する部分にそれぞれ開き３１，３２，３２、３３、３３、３４を設け、ペットに装着するときは、臀部の開き３４から首部の開き３１に向かって頭を入れ、続けて四肢の開き３２、３２に前脚出し、四肢の開き３３、３３に後ろ足を出して装着する必要があり、装着が容易でないという問題がある。さらに、この保護胴着は、四肢部分をカバーするように構成することが可能であるが、この場合、構造が煩雑になり、製作に手間がかかるという問題がある。
【０００８】
本発明の課題は、簡単な構成で、犬や猫当の動物の四肢及び体幹への包帯やギブス等の固定用品による患部処置の保護・固定を一体化して、患部全体を覆い保護するとともに、四肢及び体幹により保護カバーのずれを抑制し、患部処置の脱落を防止できる、装着容易で、かつ製作容易な動物用患部保護脱落防止カバーを提供することにある。
【課題を解決するための手段】
【０００９】
本発明の課題を解決するための手段は、特許請求の範囲の請求項１（以下、「請求項１」などという）のように、動物の四肢うちいずれか一つの脚に処置したギブスあるいは包帯等の固定用品を覆うことのできる大きさを有する脚部保護用の筒状覆い部と、該筒状覆い部の開口端から一体に延長して前記動物の体幹を周回できる長さを有し、かつ、前記筒状覆い部の内径より大きい幅を有するテープ状の体幹保護用の体幹覆い部とを、布等の柔軟性のある同一の素材から一体に形成し、前記体幹覆い部には、前記一つの脚と左右反対側の脚が挿通できる挿通孔を設けるととともに、前記体幹覆い部の端部側と前記筒状覆い部の外面に、互いに着脱自在に係合する係合部材をそれぞれ設けた動物用患部保護脱落防止カバーにある。
【００１０】
このような動物用患部保護脱落防止カバーは、適宜の長さを有し、かつ、脚部保護用の筒状覆い部の内径と等しい内径を有する布等からなる柔軟性のある筒状の素材を縦方向に、動物の四肢のうちいずれか一つの脚を保護する脚部保護用の筒状覆い部が残るように、一条の切り裂きを入れたり、適宜の長さを有し、かつ、脚部保護用の筒状覆い部を形成できる幅を有する一枚の布等から素材の一端部側を脚部保護用の筒状覆い部を形成するように接合したりして脚部保護用の筒状覆い部を形成し、この筒状覆い部以外の部分を体幹覆い部を形成するテープ状とし、このテープ状の体幹覆い部に、前記一つの脚と左右反対側の脚が挿通できる挿通孔を設けるとともに、体幹覆い部の端部側と筒状覆い部の外面に互いに着脱自在に係合できる係合部材を設けるようにして製作することができ、簡単な製作方法で動物用患部保護脱落防止カバーを提供することができる。
【００１１】
前述した動物用患部保護脱落防止カバーの使用方法は、次のとおりである。動物の四肢のうちいずれか一つの脚、例えば、左前脚に怪我や骨折等の患部があって、その患部をギブスや包帯等の固定用品で固定している場合には、その左前脚に、ギブスや包帯等の固定用品の全体を覆うように脚部保護用の筒状覆い部を装着し、次いで、この筒状覆い部と一体に形成されたテープ状の体幹覆い部を動物の体幹の胸部側に回し、体幹覆い部に設けた挿通孔に右前脚を挿通させる。その後、体幹覆い部を動物の体幹の背部側に回し、さらに、体幹覆い部を、体幹覆い部の端部が筒状覆い部の外面に設けた係合部材の位置まで周回させ、この位置で体幹覆い部の端部側に設けた係合部材と筒状覆い部の外面に設けた係合部材とを係合させて、動物用患部保護脱落防止カバーを装着する。したがって、動物用患部保護脱落防止カバーを容易に動物に装着でき、また、動物用患部保護脱落防止カバーは、動物の四肢と体幹によって支持されるので、動物用患部保護脱落防止カバーのずれを抑制し、患部処置の脱落を防止できる。
【００１２】
また、体幹覆い部は、広い幅を有しているので、体幹への処置を行った場合にも、患部部分を保護することも可能である。  
【発明の効果】
【００１３】
本発明によれば、動物用患部保護脱落防止カバーを、動物の四肢うちいずれか一つの脚に処置したギブスあるいは包帯等の固定用品を覆うことのできる大きさを有する脚部保護用の筒状覆い部と、該筒状覆い部の開口端から一体に延長して前記動物の体幹を周回できる長さを有し、かつ、前記筒状覆い部の径より大きい幅を有するテープ状の体幹保護用の体幹覆い部とを、布等の柔軟性のある同一の素材から一体に形成し、前記体幹覆い部には、前記一つの脚と左右反対側の脚が挿通できる挿通孔を設けるととともに、前記体幹覆い部の端部側と前記筒状覆い部の外面に、互いに着脱自在に係合する係合部材をそれぞれ設けて構成したので、前述したように一つの柔軟性筒状素材や一枚の柔軟性素材から簡単に製作することができ、製作コストの低減を図ることができる。
【００１４】
また、動物への装着、脱着がきわめて容易であり、また、動物の四肢と体幹によって支持されているので、動物への装着、脱着がきわめて容易であるにもかかわらず、動物用患部保護脱落防止カバーのずれを抑制し、患部処置の脱落を防止できる。
【００１５】
さらに、患部全体を覆うことができるので、ギブスや包帯等の固定用品の汚れを防ぎ、患部の汚染予防、固定部品の交換の軽減を図ることができる。  
【発明を実施するための最良の形態】
【００１６】
以下、本発明の動物用患部保護脱落防止カバーの実施の形態を図面に基づいて説明する。図１は、動物用患部保護脱落防止カバーを展開した図であり、図２は、動物用患部保護脱落防止カバーを動物に装着するときの模式図である。図３〜６は、動物用患部保護脱落防止カバーを動物に装着した図である。なお、図６は、筒状覆い部を後述する靴下型にした動物用患部保護脱落防止カバーを示し、筒状覆い部の先端側構成を除けば、他の構成は、後述する筒状覆い部先端が開口した図１〜５のものと同一の構成である。
【００１７】
図１〜６において、動物用患部保護脱落防止カバーは、動物Ａの四肢うちいずれか一つの脚Ｃ（この実施例においては、左前脚を示す）に処置したギブスあるいは包帯等の固定用品Ｅを覆うことのできる大きさを有する脚部保護用の筒状覆い部１と、筒状覆い部１の上端１ａから一体に延長して動物Ａの体幹Ｂを周回できる長さを有し、かつ、筒状覆い部１の径より大きい幅ｂを有するテープ状の体幹保護用の体幹覆い部２と、体幹覆い部２に設けられ、一つの脚Ｃ（以下、図に対応して「左前脚Ｃ」で説明する）と左右反対側の脚Ｄ（以下、図に対応して「右前脚Ｄ」で説明する）が挿通できる挿通孔３と、体幹覆い部２の端部２ａ側に設けられた係合部材５と、筒状覆い部１の外面に設けられ、係合部材５と着脱自在に係合する係合部材４を備えている。
【００１８】
筒状覆い部１と体幹覆い部２は、布等の柔軟性のある同一の素材から一体に形成されている。この柔軟性のある素材は、ギブスあるいは包帯等の固定用品Ｅ全体を覆ったとき固定用品Ｅの汚れを防ぐものであればどのような素材であってもよい。また、その材質も化学繊維製、天然繊維性等種々のものを使用できる。また、用途によって、この柔軟性素材に、通気性や伸縮性や防水性を適宜付与したものを使用してもよい。この実施の形態では、メリヤスが使用されている。また、筒状覆い部１と体幹覆い部２は、動物の種類や大小に適した適宜の大きさ、形状とすることができる。
【００１９】
筒状覆い部１は、図１〜５に示すように、ギブスあるいは包帯等の固定用品Ｅ全体を保護、覆うことができる大きさであれば、左前脚Ｃの先端側が筒状覆い部１からはみ出すようにしてもよいし、また、図６に示す他の実施の形態のように、左前脚Ｃ全体を包むように、筒状覆い部１の下端１ｂが閉じた、いわゆる靴下型としてもよい。なお、靴下型とした場合、筒状覆い部１の長さは、左前脚Ｃの全体が包まれる長さとされることはいうまでもない。また、靴下型とした場合、歩行を容易にするため、筒状覆い部１の下端に滑り止め１ｃを設けるとよい。滑り止めは、図６に示した多数の突起状のものやテープ状のもの等適宜のものが採用される。さらに、筒状覆い部１の開口した上端１ａや下端１ｂの周囲に開口を締め付ける締め付け手段として、伸縮性のある素材や帯状ゴム体を設けるようにしてもよい。  
【００２０】
体幹覆い部２は、上端２ａと側部２ｂ，２ｂを有するテープ状とされ、体幹覆い部２の幅ｂが筒状覆い部１の内径ｄより大きく、かつ、筒状覆い部１と体幹覆い部２が一体に形成されているため、側部２ｂ、２ｂの下方側は、筒状覆い部１の開口する上端１ａに向けて折り部２ｃが形成されている。
【００２１】
筒状覆い部１と体幹覆い部２は、例えば、次の方法によって一体に製作することができる。その方法の１つは、図７に示すように、布等からなる柔軟性のある内径ｄの筒状素材１１を用意する。この筒状素材１１の長さｔは、筒状覆い部１の長さｔ１と体幹覆い部２の長さｔ２の和にほぼ等しく、その内径ｄは、筒状覆い部１の内径ｄに等しい。
【００２２】
このように用意した筒状素材１１を、その開口した一端１１ａから縦方向に、体幹覆い部２の長さとほぼ同じ長さｔ２、すなわち、筒状素材１１の他端１１ｂ側に脚部保護用の筒状覆い部１となる筒状部１１ｄが残る長さに切断（切断線１１ｃ）し、切断された筒状部分をテープ上に開拡部１１ｅとして開拡する。この開拡部１１ｅが図１に示す体幹覆い部２となり、残った筒状部分１１ｄが図１に示す筒状覆い部１となる。なお、体幹覆い部２の幅ｂが、筒状覆い部１の内径ｄより大きいため、筒状部分１１ｅを開拡したとき、図１に示すように、体幹覆い部２の側部２ｂ、２ｂの下方側には、筒状覆い部１の開口する上端１ａに向けて折り部２ｃが形成される。
【００２３】
この方法において、左前脚Ｃの先端側が筒状覆い部１からはみ出るように構成する場合は、筒状の素材１１は、一端１１ａと他端１１ｂがともに開口したものを使用する。前述した靴下型として構成する場合、一端１１ａが開口し、他端１１ｂが予め閉じたものを使用してもよいし、一端１１ａと他端１１ｂが開口したものを使用し、筒状部１１ｄを形成した後、他端１１ｂを適宜閉止するようにしてもよい。
【００２４】
他の方法は、図８に示すように、布等からなる柔軟性のある１枚の長方形素材１２を用意する。長方形素材１２の長さｔは、筒状覆い部１の長さｔ１と体幹覆い部２の長さｔ２の和にほぼ等しく、その幅ｂは、内径ｄの筒状部１２ｄが構成できる幅とされる。
【００２５】
このように用意された長方形部材１２の他端１２ｂ側の両側を、筒状覆い部１の長さとほぼ同じ長さｔ１だけ折り曲げ、適宜の手段によって接合（図８において、接合部１２ｃで示す）して、筒状部１２ｄ（図８において、２点鎖線で示す）を形成する。これによって、長方形素材１２の接合されない非接合部１２ｅが体幹覆い部２を構成し、筒状に接合された筒状部１２ｄが筒状覆い部１を構成する。なお、体幹覆い部２の幅ｂは、筒状覆い部１の内径ｄより大きいため、図１に示すように、体幹覆い部２の側部２ｂ、２ｂの下方側には、筒状覆い部１の開口する上端１ａに向けて折り部２ｃが形成される。
【００２６】
この方法において、筒状覆い部１は、左前脚Ｃの先端側が筒状覆い部１からはみ出るように構成する場合は、長方形素材１２の端部１２ｂを接合しないようにし、前述した靴下型として構成する場合は、筒状部１２ｄを形成した後、その端部１２ｂを適宜閉止するようにすればよい。
【００２７】
体幹覆い部２に設けられる挿通孔３は、動物の左前脚Ｃに筒状覆い部１を装着し、体幹覆い部２を、折り部２ｃ、２ｃを広げながら、動物Ａの胸部側から背部側に巻くとき、右前脚Ｄが体幹覆い部２を貫通して装着できる位置に穿設されている。これによって、筒状覆い部の開口端１ａと挿通孔３との間の体幹覆い部２の部分が胸部側覆い部２ｄとなり、挿通孔３と体幹覆い部２の端部２ａとの間に背部側覆い部２ｅとなる。挿通孔３は、前述した方法において、素材１１や１２の段階で予め穿設しておいてもよいし、筒状覆い部１と体幹覆い部２を製作した後で穿設するようにしてもよい。
【００２８】
係合部材４は、筒状覆い部１の上端１ａ側近傍の外面に設けられ、係合部材５は、体幹覆い部２の端部２ａ側近傍に設けられ、互いに着脱自在に係合するようになっている。係合部材４と係合部材５は、互いに着脱自在に係合できるものであれば、面ファスナー、ホック、ボタン等適宜のものが使用できる。図１では、面ファスナーが使用されている。
【００２９】
このように構成された動物用患部保護脱落防止カバーは、前述したように布等の素材で作られているため、繊維のほころびを避けたり、動物に容易に装着できるようにするため、筒状覆い部の１の開口する上端１ａや下端１ｂ、体幹覆い部２の端部２ａや側部２ｂ，２ｂ、挿通孔３の縁部３ａ等の適宜の部位をかがり縫いや返し縫い等の手段や他の適宜の補強手段によって補強するようにしてもよい。
【００３０】
次に、この実施の形態における前述した動物用患部保護脱落防止カバーの使用方法を説明する。動物Ａの左前脚Ｃに怪我や骨折等の患部があって、その患部をギブスや包帯等の固定用品Ｅで固定している場合には、その左前脚Ｃに、ギブスや包帯等の固定用品Ｅの全体を覆うように脚部保護用の筒状覆い部１を装着し、次いで、この筒状覆い部１と一体に形成され体幹覆い部２を、折り部２ｃ，２ｃを広げながら、動物の体幹Ｂの胸部側に回し、体幹覆い部２に設けた挿通孔３に動物の右前脚を挿通させて、動物の胸部側を体幹覆い部２の胸部側覆い部２ｄで覆い、保護する。その後、体幹覆い部２を動物Ａの体幹Ｂの背部側に回し、さらに、体幹覆い部２の端部２ａを、左前脚Ｃに装着されている筒状覆い部１の外周に設けた係合部材４の位置まで周回させ、この位置で体幹覆い部２の端部２ａに設けた係合部材５と筒状覆い部１の上端１ａ側外周に設けた係合部材４とを係合、止着して、動物の背部側を体幹覆い部２の背側覆い部２ｅで覆い、保護し、動物用患部保護脱落防止カバーの装着が完了する。動物用患部保護脱落防止カバーを脱着するときは、係合部材４と係合部材５の係合を解除し、前述したと逆に行って脱着する。
【００３１】
以上説明した実施の形態によれば、ギブスや包帯等の固定用品によって固定されている部分を、さらに保護することができ、固定部分の負荷の軽減、固定用品Ｅの保護、患肢の調節等を行うことができる。また、固定用品Ｅの汚れを防ぎ、患部の汚れを防ぎ、患部の汚染予防、固定用品に用いられるテープ交換等の軽減を図ることができる。
【００３２】
また、脚部保護用の筒状覆い部１と他方の脚を挿通することのできる挿通孔３と動物の体幹を周回できる体幹覆い部２と係合部材４，５によって、保護、固定を一体化でき、患部全体を覆い保護するとともに、動物用患部保護脱落防止カバーは、左右前脚Ｃ，Ｄと体幹Ｂによって支持されるので、該カバーのずれを防止でき、患部処理の脱落を防止することができるとともに、簡単かつ迅速に動物へ装着、脱着することができる。
【００３３】
さらに、脚部保護用の筒状覆い部１と体幹覆い部２は、布等からなる一つの柔軟性のある筒状素材１１や一枚の長方形素材１２から簡単な工程で一体に製作できるので、製作が容易であり、製作コストの低減を図ることができる。
【００３４】
以上、本発明の実施の形態について説明したが、本発明は、上記実施の形態に限定されず種々の設計変更が可能であり、それらはいずれも本発明に含まれる。
【００３５】
例えば、素材１１の径が一様なものを説明したが、一端１１ａと他端１１ｂの径が異なるものを採用してもよいし、中央が膨らんだ形状としてもよい。また、素材１２を長方形状として説明したが、台形状等適宜の形状とすることができる。また、動物の種類や大小にあわせて、異なる大きさの動物用患部保護脱落防止カバーを複数種用意しておくとよい。
【００３６】
筒状部１１が動物の左前脚を覆う動物用患部保護脱落防止カバーについて説明したが、右前脚用、左後脚用、右後脚用のものにも適用できることは言うまでもない。なお、後脚用構成する場合には、体幹にあわせて、体幹覆い部２を適宜の形状とすればよい。さらに、動物用患部保護脱落防止カバーを裏返して使えるようにすれば、すなわち、リバーサブルで使えるようにすれば、左脚、右脚共用のカバーとすることができる。
【図面の簡単な説明】
【００３７】
【図１】本発明の一実施の形態における動物用患部保護脱落防止カバーを展開した図
【図２】本発明の一実施の形態における動物用患部保護脱落防止カバーを動物に装着した時の模式図
【図３】本発明の一実施の形態における動物用患部保護脱落防止カバーを動物に装着した時、動物の正面をみた図。
【図４】本発明の一実施の形態における動物用患部保護脱落防止カバーを動物に装着した時、動物の側面をみた図。
【図５】本発明の一実施の形態における動物用患部保護脱落防止カバーを動物に装着した時、動物の腹部を見た図。
【図６】本発明の他の実施の形態における動物用患部保護脱落防止カバーを動物に装着した時、動物の正面をみた図。
【図７】本発明の動物用患部保護脱落防止カバーの筒状素材を示す図。
【図８】本発明の動物用患部保護脱落防止カバーの長方形素材を示す図。
【図９】従来のペット用カバーを示す図。
【図１０】他の従来のペット用カバーを示す図。
【符号の説明】
【００３８】
Ａ・・・・・・動物
Ｂ・・・・・・動物の体幹
Ｃ・・・・・・動物の左前脚
Ｄ・・・・・・動物の右前脚  
Ｅ・・・・・・固定用品
１・・・・・・脚部保護用の筒状覆い部
２・・・・・・体幹覆い部
３・・・・・・挿通孔
４・・・・・・係合部
５・・・・・・係合部
１１・・・・・筒状素材
１２・・・・・長方形素材
【図１】
2008043369.tif 000003
【図２】
2008043369.tif 000004
【図３】
2008043369.tif 000005
【図４】
2008043369.tif 000006
【図５】
2008043369.tif 000007
【図６】
2008043369.tif 000008
【図７】
2008043369.tif 000009
【図８】
2008043369.tif 000010
【図９】
2008043369.tif 000011
【図１０】
2008043369.tif 000012
【手続補正書】
【提出日】平成19年12月7日(2007.12.7)
【手続補正１】
【補正対象書類名】特許請求の範囲
【補正対象項目名】全文
【補正方法】変更
【補正の内容】
【特許請求の範囲】
【請求項１】
動物の四肢のうちいずれか一つの脚に処置したギブスや包帯等の固定用品を覆うことのできる脚部保護用の筒状覆い部と、動物の体幹を周回できる長さを有する体幹保護用の体幹覆い部とから構成された動物用患部保護脱落防止カバーであって、前記筒状覆い部と前記体幹覆い部は、筒状覆い部の長さと体幹覆い部の長さの和にほぼ等しく、かつ、内径が前記筒状覆い部の内径に等しい、一端が開口し、他端が予め閉じられた又は前記筒状部が形成された後閉じられる布等からなる柔軟性かつ伸縮性のある筒状素材を前記開口した一端から縦方向に、前記体幹覆い部の長さとほぼ同じ長さに一条の切り裂きを入れ、切り裂きを入れない側を前記一つの脚全体を包む筒状覆い部とし、切り裂きを入れた側を開拡して体幹覆い部を形成するテープ状として一体に構成するか、又は、前記筒状覆い部の長さと前記体幹覆い部の長さの和にほぼ等しく、かつ、前記筒状覆い部を形成できる幅を有する柔軟性かつ伸縮性のある布等の素材の他端側の両側を前記筒状覆い部の長さだけ折り曲げて接合するとともに他端側にできた開口を閉止して前記一つの脚全体を包む筒状覆い部とし、接合しない部分を前記体幹覆い部を形成するテープ状として一体に構成し、前記テープ状の体幹覆い部に、前記一つの脚に前記筒状覆い部を装着し、前記体幹覆い部を広げながら、動物の胸部側から背部側に巻くとき、前記一つの脚に対し左右反対側の脚が前記体幹覆い部を貫通して挿通できる挿通孔を設けるとともに、前記体幹覆い部の端部側と前記筒状覆い部の外面とに、互いに着脱自在に係合する係合部材をそれぞれ設けたことを特徴とする動物用患部保護脱落防止カバー。
【手続補正２】
【補正対象書類名】明細書
【補正対象項目名】０００５
【補正方法】変更
【補正の内容】
【０００５】
前述した四肢用保護カバーに関する先行技術文献として、次の特許文献１〜２等がある。
【特許文献１】特開平１１−７１号公報
【特許文献２】特開２０００−２４０１５号公報
【手続補正３】
【補正対象書類名】明細書
【補正対象項目名】０００９
【補正方法】変更
【補正の内容】
【０００９】
本発明の課題を解決するための手段は、特許請求の範囲の請求項１（以下「請求項１」という）のように、動物の四肢のうちいずれか一つの脚に処置したギブスや包帯等の固定用品を覆うことのできる脚部保護用の筒状覆い部と、動物の体幹を周回できる長さを有する体幹保護用の体幹覆い部とから構成された動物用患部保護脱落防止カバーであって、前記筒状覆い部と前記体幹覆い部は、前記筒状覆い部の長さと前記体幹覆い部の長さの和にほぼ等しく、かつ、内径が前記筒状覆い部の内径に等しい、一端が開口し、他端が予め閉じられた又は前記筒状部が形成された後閉じられる布等からなる柔軟性かつ伸縮性のある筒状素材を前記開口した一端から縦方向に、前記体幹覆い部の長さとほぼ同じ長さに一条の切り裂きを入れ、該切り裂きを入れない側を前記一つの脚全体を包む前記筒状覆い部とし、前記切り裂きを入れた側を開拡して前記体幹覆い部を形成するテープ状として一体に構成するか、又は、前記筒状覆い部の長さと前記体幹覆い部の長さの和にほぼ等しく、かつ、前記筒状覆い部を形成できる幅を有する柔軟性かつ伸縮性のある布等の素材の他端側の両側を前記筒状覆い部の長さだけ折り曲げて接合するとともに他端側にできる開口を閉止して前記一つの脚全体を包む筒状覆い部とし、接合しない部分を開拡して体幹覆い部を形成するテープ状として一体に構成し、前記テープ状の体幹覆い部に、前記一つの脚に前記筒状覆い部を装着し、前記体幹覆い部を広げながら、動物の胸部側から背部側に巻くとき、前記一つの脚に対し左右反対側の脚が前記体幹覆い部を貫通して挿通できる挿通孔を設けるとともに、前記体幹覆い部の端部側と前記筒状覆い部の外面とに、互いに着脱自在に係合する係合部材をそれぞれ設けたことを特徴とする動物用患部保護脱落防止カバーにある。
【手続補正４】
【補正対象書類名】明細書
【補正対象項目名】００１０
【補正方法】削除
【補正の内容】
【手続補正５】
【補正対象書類名】明細書
【補正対象項目名】００１３
【補正方法】変更
【補正の内容】
【００１３】
本発明によれば、筒状覆い部と体幹覆い部は、筒状覆い部の長さと体幹覆い部の長さの和にほぼ等しく、かつ、内径が筒状覆い部の内径に等しい、一端が開口し、他端が閉じた布等からなる柔軟性かつ伸縮性のある筒状素材を前記開口した一端から縦方向に、体幹覆い部の長さとほぼ同じ長さに一条の切り裂きを入れて、切り裂きを入れない側を一つの脚全体を包む筒状覆い部とし、切り裂きを入れた側を開拡して体幹覆い部を形成するテープ状として、一体に構成するか、又は、筒状覆い部の長さと体幹覆い部の長さの和にほぼ等しく、かつ、筒状覆い部を形成できる幅を有する柔軟性かつ伸縮性のある布等の素材の他端側の両側を筒状覆い部の長さだけ折り曲げて接合するとともに、他端側にできた開口を閉止して一つの脚全体を包む筒状覆い部とし、接合しない部分を体幹覆い部を形成するテープ状として一体に構成し、前記テープ状の体幹覆い部に、前記一つの脚に前記筒状覆い部を装着し、前記体幹覆い部を広げながら、動物の胸部側から背部側に巻くとき、前記一つの脚に対し左右反対側の脚が前記体幹覆い部を貫通して挿通できる挿通孔を設けるようにしたので、脚部保護用の筒状覆い部と体幹覆い部は、布等からなる一つの柔軟性かつ伸縮性のある筒状素材や一枚の長方形素材から簡単な工程で一体に製作でき、製作が容易であり、製作コストの低減を図ることができる。
【手続補正６】
【補正対象書類名】明細書
【補正対象項目名】００１９
【補正方法】変更
【補正の内容】
【００１９】
筒状覆い部１は、図１〜５に示すように、ギブスあるいは包帯等の固定用品Ｅ全体を保護、覆うことができる大きさであれば、左前脚Ｃの先端側が筒状覆い部１からはみ出すようにしてもよいし、また、図６に示す他の実施の形態のように、左前脚Ｃ全体を包むように、筒状覆い部１の下端１ｂが閉じた、いわゆる靴下型としてもよい。なお、靴下型とした場合、筒状覆い部１の長さは、左前脚Ｃの全体が包まれる長さとされることはいうまでもない。また、靴下型とした場合、歩行を容易にするため、筒状覆い部１の下端に滑り止め１ｃを設けるとよい。滑り止めは、図６に示した多数の突起状のものやテープ状のもの等適宜のものが採用される。さらに、筒状覆い部１の開口した上端１ａや下端１ｂの周囲に開口を締め付ける締め付け手段として、伸縮性のある素材や帯状ゴム体を設けるようにしてもよい。
【手続補正７】
【補正対象書類名】明細書
【補正対象項目名】００３６
【補正方法】変更
【補正の内容】
【００３６】
筒状部１１が動物の左前脚を覆う動物用患部保護脱落防止カバーについて説明したが、右前脚用、左後脚用、右後脚用のものにも適用できることは言うまでもない。なお、後脚用に構成する場合には、体幹にあわせて、体幹覆い部２を適宜の形状とすればよい。さらに、動物用患部保護脱落防止カバーを裏返して使えるようにすれば、すなわち、リバーサブルで使えるようにすれば、左脚、右脚共用のカバーとすることができる。